(57)【要約】【課題】免疫測定装置等に用いられる試薬ボトルにおいて、高価な試薬溶液を無駄なく最後まで使い切ることができるようにし、しかもボトル自体が正立状態を保つことができるようにする。【解決手段】ボトル本体２と、このボトル本体２の底部に装着されるはかま３を備え、ボトル本体２は、その底部２４の中央部が下方に膨出した液溜部２５を有し、はかま３は、ボトル本体２の底部２４に嵌合する周壁部と、この周壁部に続く平坦な平底部とからなり、平底部の中央には貫通孔が形成されており、ボトル本体２にはかま３を装着した際に、上記貫通孔に上記液溜部２５が落ち込むようになっている試薬ボトル１である。【選択図】図１
0003117090.tif 000002
【実用新案登録請求の範囲】
【請求項１】
ボトル本体と、このボトル本体の底部に装着されるはかまを備え、
ボトル本体は、その底部の中央部が下方に膨出した液溜部を有し、
はかまは、ボトル本体の底部に嵌合する周壁部と、この周壁部に続く平底部とからなり、平底部の中央には貫通孔が形成されており、
ボトル本体にはかまを装着した際に、上記貫通孔に上記液溜部が落ち込むようになっていることを特徴とする試薬ボトル。
【請求項２】
ボトル本体の液溜部の周囲には、この液溜部に向けて下方に傾斜する傾斜部が形成されていることを特徴とする請求項１記載の試薬ボトル。
【請求項３】
上記ボトル本体の下端部には、この下端部と上記傾斜部とを繋ぐ係合部が形成され、この係合部にはかまの周壁部が係合するようになっていることを特徴とする請求項２記載の試薬ボトル。
【請求項４】
ボトル本体の上部には首部が形成され、この首部にキャップが装着されるようになっていることを特徴とする請求項１記載の試薬ボトル。
【考案の詳細な説明】
【技術分野】
【０００１】
この考案は、自動化学発光酵素免疫測定装置などの免疫測定装置に用いられ、発光試薬などの試薬溶液を貯蔵するための試薬ボトルに関する。
【背景技術】
【０００２】
自動化学発光酵素免疫測定装置においては、発光基質などの試薬溶液を低温で貯蔵するため、試薬溶液が充填された試薬ボトルを該免疫測定装置の保冷庫に収納しておき、必要に応じてこの試薬ボトルから自動的に一定量の試薬溶液を吸入スポイトなどで吸入し、検体カートリッジに分注して使用されるようになっている。
【０００３】
ところで、発光基質などの試薬溶液は高価な試薬であることから、ボトル内の試薬を無駄なく最後まで使い切ることが望まれている。
従来の試薬ボトルには、ポリエチレンなどからなる通常の試薬容器を利用していたため、容器の底部の中央が若干上方に膨出していることから、底部の周辺部に試薬溶液が集まり、ここに残った試薬溶液を吸入スポイトで完全に吸入することができない問題があった。
これは、免疫測定装置に取り付けられている吸入スポイトが、試薬ボトルの中心に沿って降下、上昇するような構造になっており、ボトルの底部の周辺部に吸入スポイトの先端が届かないためである。
【０００４】
この問題を解決するため、試薬ボトルとして、丸底の容器を用い、残り少なくなった試薬溶液を底の中央部に集め、これに吸入スポイトを差し込んで吸入することが考えられる。
しかし、この丸底の容器では、容器が自立して正立状態を保つことができない問題が新たに生じる。
本出願人は、このような免疫測定装置に用いられる発光基質などの試薬溶液を貯蔵するための試薬ボトルに関する公知文献を承知しない。
【考案の開示】
【考案が解決しようとする課題】
【０００５】
よって、本考案における課題は、試薬ボトルにおいて、高価な試薬溶液を無駄なく最後まで使い切ることができるようにし、しかもボトル自体が正立状態を保つことができるようにすることにある。
なお、本考案における試薬溶液とは、基質溶液に限られず、酵素溶液、洗浄液、キャリブレーション液などを含み、懸濁液であってもよい。
【課題を解決するための手段】
【０００６】
かかる課題を解決するため、
請求項１にかかる考案は、ボトル本体と、このボトル本体の底部に装着されるはかまを備え、
ボトル本体は、その底部の中央部が下方に膨出した液溜部を有し、
はかまは、ボトル本体の底部に嵌合する周壁部と、この周壁部に続く平底部とからなり、平底部の中央には貫通孔が形成されており、
ボトル本体にはかまを装着した際に、上記貫通孔に上記液溜部が落ち込むようになっていることを特徴とする試薬ボトルである。
【０００７】
請求項２にかかる考案は、ボトル本体の液溜部の周囲には、この液溜部に向けて下方に傾斜する傾斜部が形成されていることを特徴とする請求項１記載の試薬ボトルである。
【０００８】
請求項３にかかる考案は、上記ボトル本体の下端部には、この下端部と上記傾斜部とを繋ぐ係合部が形成され、この係合部にはかまの周壁部が係合するようになっていることを特徴とする請求項２記載の試薬ボトルである。
【０００９】
請求項４にかかる考案は、ボトル本体の上部には首部が形成され、この首部にキャップが装着されるようになっていることを特徴とする請求項１記載の試薬ボトルである。
【考案の効果】
【００１０】
本考案によれば、ボトル本体の底部の中央に液溜部を形成したので、残った試薬溶液がここに流れ込み、免疫測定装置の吸入スポイトが液溜部に降下して、液溜部に集まった試薬溶液を無駄なく吸入して使用に供することができる。
また、ボトル本体にはかまを装着することで、ボトルとしての底部が平坦になり、正立状態を保つことができる。
【００１１】
さらに、はかまの底部に貫通孔を形成し、この貫通孔に液溜部が落ち込むような構造としたので、はかまを装着した場合でも、ボトル全体の高さが、ボトル本体の高さとほぼ同じとなって高くなることがなく、免疫測定装置内の限られたスペースにも収納することができる。
【考案を実施するための最良の形態】
【００１２】
図１ないし図３は、この考案の試薬ボトルの一例を示すものである。
この例の試薬ボトル１は、ボトル本体２と、はかま３と、キャップ（図示略）とから概略構成されている。
【００１３】
ボトル本体２は、高密度ポリエチレン、ポリプロピレンなどの熱可塑性合成樹脂を用い、ブロー成形法によって成形されたもので、円筒状の胴部２１と、この胴部２１の上方にやや縮径されて形成された円筒状の首部２２と、この首部２２の外周に形成された雄ねじ部２３と、胴部２１の下方に形成された底部２４とから構成されている。この考案の試薬ボトルに収められる試薬溶液が免疫測定に用いる基質の場合、ボトル本体２は、濃色に着色されたものであってもよい。
【００１４】
また、上記底部２４は、その中央に形成された液溜部２５と、この液溜部２５の周囲に形成された傾斜部２６と、この傾斜部２６と胴部２１の下端を繋ぐ係合部２７とから構成されている。
【００１５】
上記液溜部２５は、底部２４の中央に位置し、ボトル本体２の下方に向けて突出した丸底状のものである。傾斜部２６は、この液溜部２５の上端部から外方に向けてやや上方に傾斜して延びる漏斗状のものである。また、係合部２７は、傾斜部２６の上端部と胴部２１の下端部を繋ぐ部分であって、ボトル本体２の内方に向けて凹んだ係合凹部２８が形成されている。
【００１６】
また、はかま３は、図２および図３に示すように、ポリプロピレン、ポリエチレンなどの熱可塑性合成樹脂を用い、射出成形法によって成形さたもので、円筒状の周壁部３１と、この周壁部３１の下端に形成されたほぼ平坦な平底部３２とから構成されている。
【００１７】
上記周壁部３１の上方の内面には、内方に向けて突出するリブ状の係合凸部３３が設けられており、この係合凸部３３がボトル本体２の係合部２７の係合凹部２８と嵌合するように構成されている。
【００１８】
上記平底部３２の中央には円形の貫通孔３４が形成されている。この貫通孔３４は、図１に示すように、はかま３をボトル本体２に装着した時に、ボトル本体２の液溜部２５の底部分が貫通孔３４に落ち込み、かつ液溜部２５の底部分が貫通孔３４から外方に飛び出さないように、その寸法、位置が決められている。
さらに、平底部３２の貫通孔３４側の部分はわずかに上方に傾斜しており、液溜部２５の底部が平底部３２より突出しないようになっている。
【００１９】
さらに、ボトル本体２の首部２２には、その雄ねじ部２３に螺合する雌ねじ部が形成されたキャップ（図示略）が着脱自在に取り付けられるようになっている。また、首部２２の開口端部には、ボトル本体２内に試薬溶液を充填したのち、これを気密に封じるためのアルミニウム箔などからなる封止フィルム（図示略）が溶着されるようになっている。
【００２０】
このような試薬ボトル１は、図１に示すように、ボトル本体２にはかま３を装着した状態で使用に供される。ボトル本体２へのはかま３の装着は、ボトル本体２の胴部２２の係合部２７の係合凹部２８に、はかま３の周壁部３１の係合凸部３３を嵌合することによって行われる。
【００２１】
そして、試薬ボトル１内の試薬溶液が残り少なくなると、試薬溶液は傾斜部２６に沿って流下して液溜部２５に集まり、この状態の試薬溶液を吸入スポイトなどで吸い上げて使用することができる。
また、はかま３を装着した状態では、試薬ボトル１はほぼ平坦な底部を備えたものとなり、自立して正立状態を保つことができる。
【００２２】
さらに、はかま３の平底部３２の貫通孔３４にボトル本体２の液溜部２５の底部分が落ち込むようになっているので、はかま３を装着しても試薬ボトル１全体の高さがボトル本体２の高さよりも高くなることがなく、このため免疫測定装置の保冷庫内などの限られたスペースに収納することができる。
【図面の簡単な説明】
【００２３】
【図１】本考案の試薬ボトルの一例を示す一部断面視した側面図である。
【図２】本考案におけるはかまの一例を示す一部断面視した側面図である。
【図３】本考案におけるはかまの一例を示す底面図である。
【符号の説明】
【００２４】
１・・試薬ボトル、２・・ボトル本体、３・・はかま、２１・・胴部、２２・・首部、２５・・液溜部、２６・・傾斜部、２７・・係合部、３１・・周壁部、３２・・平底部、３４・・貫通孔
【図１】
0003117090.tif 000003
【図２】
0003117090.tif 000004
【図３】
0003117090.tif 000005